【事件の表示】
　特願２００３−２７９９３３「画像表示方法および画像表示システム」拒絶査定不服審判事件〔平成１６年　１月２９日出願公開、特開２００４−　２９８４１〕について、次のとおり審決する。
【結　論】
　本件審判の請求は、成り立たない。
【理　由】
１．本願発明
　本願は、平成１２年１２月１日に出願された特願２０００−３６６６２０号の一部を平成１５年７月２５日に新たな特許出願としたものであって、その請求項に係る発明は、平成１８年１０月１６日に補正された特許請求の範囲の請求項１ないし１３に記載された事項によりそれぞれ特定されるものであるところ、その請求項８に係る発明（以下「本願発明」という。）は、次のとおりである。
　
「【請求項８】
　地図画像に基づいて、特定の種別の画像を表示する画像表示システムであって、
　通常の地図に対応する一般地図からなる第１の層に関する一般地図データを記憶した一般地図データファイルと、
　所定種別の地図または写真を含む画像に関連した輪郭を示すポリゴンの集合体からなる第２の層に関するポリゴンデータであって、少なくとも、当該ポリゴンの第１の層における位置が対応つけられているポリゴンデータを記憶したポリゴンデータファイルと、
　第２の層の各ポリゴン内を示すような前記画像の集合体からなる第３の層に関する画像データを記憶した画像データファイルと、
　所定の位置を示す情報を受理して、当該位置に対応する第１の層における位置を特定する位置特定手段と、
　前記第１の層において特定された位置が、前記第２の層に関するポリゴンのうち、何れのポリゴン内に存在するかを判断することにより、前記第２の層に関するポリゴンを特定するポリゴン特定手段であって、第１の層において特定された位置が複数のポリゴン内に存在する場合に、当該第１の層の位置と、各ポリゴンにより画定される領域の中心の位置との距離を比較して、単一のポリゴンを特定するように構成されたポリゴン特定手段と、
　前記特定されたポリゴンに対応する第３の層に関する画像を、前記画像データファイルから取り出して出力する画像取り出し手段と、
　を備えたことを特徴とする画像表示システム。」
　　
２．引用例
（１）引用例１
　原査定の拒絶の理由に引用された特開平１−１４０２７０号公報（以下「引用例１」という。）には、図とともに次の記載がある。
　
「図形入力装置，図形表示装置，演算処理装置，メモリ等で構成される図形処理装置を用い縮尺度の大きな地図をインデックス図面として所要地点を包含する詳細地図を図形表示装置上に表示させるコンピュータマッピングにおいて、予じめ前記インデックス図面をメッシュ分割して長方形ポリゴン（多角形面）化し各ポリゴンの番号，四隅座標，中心座標およびインデックス図面地図情報並びに前記各ポリゴンに対応する縮尺度の小さな詳細地図情報を前記図形入力装置より入力し前記ポリゴン番号，四隅座標およびインデックス図面情報並びにポリゴン中心座標を中心にプロットした詳細地図情報をメモリに記憶させ、地図検索に当つては前記メモリに記憶された前記インデックス図面を前記図形表示装置に表示し該表示画面に基づき、所要地点を指示し該指示地点座標と前記ポリゴン四隅座標との比較演算を順次前記演算処理装置にて行ない前記指示地点を包含するポリゴンを判定し該ポリゴンの中心座標を中心にプロットした詳細地図を図形表示装置に表示させることを特徴とした地図検索方法。」（第１頁左下欄第５行〜右下欄第１０行、以下「引用発明」という。）　
　
（２）引用例２
　同じく原査定の拒絶の理由に引用された特開平４−１４７２８９号公報（以下[引用例２」という。）には、図とともに次の記載がある。
　
「従来、グラフィック表示装置において、デジタル地図データを画像表示するに際しては、第２図に示されるように、地図１０を複数の領域１１，１２，１３，１４に分割し、各領域１１，１２，１３，１４の地図データをそれぞれセグメントＡ，Ｂ，Ｃ，Ｄに記憶し、画面１５に表示すべき領域が指定されたときに、指定の領域を含むセグメントをセグメントバッファーから読み出し、セグメントの地図データに従って地図を画像表示する方法が採用されている。例えば、領域１１が指定されたときにはセグメントＡを選択し、セグメントＡの地図データに従って地図を画像表示するようになっている。」（第１頁右下欄第１〜１３行）
「しかしながら、従来の画像表示方法では、第３図に示されるように、表示領域１６を画像表示する場合にセグメントＡのみを選択すればよいが、表示領域１７のように領域１１と領域１２に属する場合にはセグメントＡ，Ｂを選択する必要がある。さらに、表示領域１８のように領域１１，１２，１３，１４に属する場合にはセグメントＡ，Ｂ，Ｃ，Ｄを選択する必要がある。」（第１頁右下欄第１５行〜第２頁左上欄第２行）
「本発明の目的は、画面に表示すべき領域が複数の領域に属するときでも単一のセグメントの地図データに従って地図を画像表示することができるデジタル地図データの画像表示方法を提供することにある。」（第２頁左上欄第１１〜１５行）
「本発明は、上記目的を達成するために、地図を複数の領域に分割し、各領域の地図データをそれぞれセグメントに記憶し、画面に表示すべき領域が指定されたときに、指定の領域を含むセグメントを選択し、選択したセグメントの地図データに従って地図を画像表示するデジタル地図データの表示方法において、各セグメントに相隣接する領域の境界付近の地図データも合わせて記憶することを特徴とするデジタル地図データの画像表示方法を採用したものである。」（第２頁左上欄第１７行〜右上欄第６行）
「従って、本発明によれば、セグメントに各領域の地図データを記憶するに際して、各セグメントには相隣接する領域の境界付近の地図データも合わせて記憶するようにしたため、画面に表示すべき表示領域が複数の領域の境界付近のときには、表示領域が複数の領域に属する場合でも単一のセグメントを選択するだけで指定表示領域の地図を画像表示することができ、画像表示するに要する時間を短くすることが可能となる。」（第２頁右上欄第８〜１６行）
　
３．対比
　本願発明と引用発明を対比する。
ア　引用発明は、「図形入力装置，図形表示装置，演算処理装置，メモリ等で構成される図形処理装置を用い縮尺度の大きな地図をインデックス図面として所要地点を包含する詳細地図を図形表示装置上に表示させるコンピュータマッピング」技術に関するものであって、「縮尺度の大きな地図」及び「詳細地図」がそれぞれ本願発明の「地図画像」及び「特定の種別の画像」に相当するところであるから、引用発明が本願発明でいう「地図画像に基づいて、特定の種別の画像を表示する画像表示システム」の発明を含むことは明らかである。
　
イ　また、引用発明の「縮尺度の大きな地図」及び「詳細地図」は、それぞれ、本願発明の「通常の地図に対応する一般地図」及び「所定種別の地図または写真を含む画像」にも相当するところである。
　
ウ　引用発明は、「縮尺度の大きな地図」を「インデックス図面」とするものであり、この「インデックス図面」は「メモリに記憶」されているから、引用発明が本願発明の「通常の地図に対応する一般地図からなる第１の層に関する一般地図データを記憶した一般地図データファイル」を備えていることは明らかである。
　
エ　引用発明の「ポリゴン」が本願発明の「ポリゴン」に相当するところであり、引用発明は、「ポリゴン番号，四隅座標およびインデックス図面情報並びにポリゴン中心座標を中心にプロットした詳細地図情報をメモリに記憶させ」るものであるから、引用発明が本願発明の「所定種別の地図または写真を含む画像に関連した輪郭を示すポリゴンの集合体からなる第２の層に関するポリゴンデータであって、少なくとも、当該ポリゴンの第１の層における位置が対応つけられているポリゴンデータを記憶したポリゴンデータファイル」を備えることも明らかである。
　
オ　引用発明は、「ポリゴン中心座標を中心にプロットした詳細地図情報をメモリに記憶させ」ており、この「詳細地図情報」は本願発明の「前記画像」に相当するところであるから、引用発明が本願発明の「第２の層の各ポリゴン内を示すような前記画像の集合体からなる第３の層に関する画像データを記憶した画像データファイル」を備えることも明らかである。
 
カ　引用発明は、「地図検索に当つては前記メモリに記憶された前記インデックス図面を前記図形表示装置に表示し該表示画面に基づき、所要地点を指示」するものであるから、引用発明が本願発明の「所定の位置を示す情報を受理して、当該位置に対応する第１の層における位置を特定する位置特定手段」を備えることも明らかである。
　
キ　引用発明は、「該指示地点座標と前記ポリゴン四隅座標との比較演算を順次前記演算処理装置にて行ない前記指示地点を包含するポリゴンを判定」するものであるから、引用発明が本願発明の「前記第１の層において特定された位置が、前記第２の層に関するポリゴンのうち、何れのポリゴン内に存在するかを判断することにより、前記第２の層に関するポリゴンを特定するポリゴン特定手段」を備えることも明らかである。
　
ク　引用発明は、「該ポリゴンの中心座標を中心にプロットした詳細地図を図形表示装置に表示させる」ものであるから、引用発明が本願発明の「前記特定されたポリゴンに対応する第３の層に関する画像を、前記画像データファイルから取り出して出力する画像取り出し手段」を備えることも明らかである。
　
　以上のことから、両者はともに、
「地図画像に基づいて、特定の種別の画像を表示する画像表示システムであって、
　通常の地図に対応する一般地図からなる第１の層に関する一般地図データを記憶した一般地図データファイルと、
　所定種別の地図または写真を含む画像に関連した輪郭を示すポリゴンの集合体からなる第２の層に関するポリゴンデータであって、少なくとも、当該ポリゴンの第１の層における位置が対応つけられているポリゴンデータを記憶したポリゴンデータファイルと、
　第２の層の各ポリゴン内を示すような前記画像の集合体からなる第３の層に関する画像データを記憶した画像データファイルと、
　所定の位置を示す情報を受理して、当該位置に対応する第１の層における位置を特定する位置特定手段と、
　前記第１の層において特定された位置が、前記第２の層に関するポリゴンのうち、何れのポリゴン内に存在するかを判断することにより、前記第２の層に関するポリゴンを特定するポリゴン特定手段と、
　前記特定されたポリゴンに対応する第３の層に関する画像を、前記画像データファイルから取り出して出力する画像取り出し手段と、
　を備えた画像表示システム。」の発明である点で一致する。
　
　一方、本願発明は、「ポリゴン特定手段」が「第１の層において特定された位置が複数のポリゴン内に存在する場合に、当該第１の層の位置と、各ポリゴンにより画定される領域の中心の位置との距離を比較して、単一のポリゴンを特定するように構成されたポリゴン特定手段」であるのに対し、引用発明はこのようなものでない点で相違する。
　
４．相違点についての検討
　上記相違点について検討する。
　引用例２には、地図を複数の領域に分割し、各領域の地図データをそれぞれセグメントに記憶し、画面に表示すべき領域が指定されたときに、指定の領域を含むセグメントを選択し、選択したセグメントの地図データに従って地図を画像表示するデジタル地図データの表示方法において、各セグメントに相隣接する領域の境界付近の地図データも合わせて記憶するようになすことにより、画面に表示すべき表示領域が複数の領域の境界付近のときにも単一のセグメントを選択するだけで指定表示領域の地図を画像表示することができるようにすることが記載されているから、引用発明においても、指示された所要地点がポリゴンの境界付近に位置する場合に、その周辺領域も含めて詳細地図が表示されるように、各ポリゴンに隣接する領域の詳細地図が含まれるようにすること、すなわち、各ポリゴンが隣接するポリゴンと隣接領域で重なるようにすることは、当業者が容易に想到し得ることであると認められ、その際、指示された所要地点が複数のポリゴン内に存在する場合があることとなるが、表示するのはいずれか１つのポリゴンに対応する詳細地図であるところ、どのポリゴンを採用するかについては、表示された詳細地図において、指示された所要地点ができるだけ地図の中心近くになるのが望ましいことが明らかであるから、そのようなポリゴンを採用すること、すなわち、インデックス図面における指示地点座標と各ポリゴンの中心座標との距離を比較して、この距離が最も小さくなるポリゴンを特定し、このポリゴンに対応する詳細地図を表示するようになすことは、当業者が当然に採用する事項に過ぎない。
　
　また、本願発明が奏する効果についても、引用例１及び２に記載された事項に基づいて当業者が予測可能なものであって、格別のものとはいえない。
　
５．むすび
　したがって、本願発明は、引用例１及び２に記載された発明に基づいて当業者が容易に発明できたものであるから、特許法第２９条第２項の規定により特許を受けることができない。
　よって、結論のとおり審決する。